(57)【要約】【課題】水中ポンプ本体３の運転開始時の一定時間だけ、水中ポンプ本体の吐出流の少なくとも一部を水槽内に噴出する攪拌装置４付きの水中ポンプ装置２において、攪拌装置の詰まりを確実に防止して、攪拌装置の性能を安定して確保する。【解決手段】ポンプ装置には、吐出流が所定の主流方向に流れるように区画する経路が形成されており、経路の途中位置から分岐しかつ、ポンプ装置側から攪拌装置側に向かう分岐方向に、吐出流を流す分岐孔２９が、経路を構成する壁面に開口し、攪拌装置は、分岐孔に接続されている。水中ポンプ装置は、分岐孔の開口２９ａの一部を塞ぐように配置されかつ、攪拌装置内に異物が進入することを防止する異物進入防止部材７１１をさらに備えている。【選択図】図５
2014181618.tif 000002
【特許請求の範囲】
【請求項１】
水槽内に設置されかつ、断続的に運転するように構成された水中ポンプ本体、及び、当該水中ポンプ本体の吐出口に接続されかつ、前記水中ポンプ本体の羽根車から吐出された吐出流を前記水槽の外まで搬送するように構成された排出管部を有するポンプ装置と、
前記ポンプ装置に取り付けられかつ、前記水中ポンプ本体の運転開始時の一定時間だけ、当該水中ポンプ本体の前記吐出流の少なくとも一部を前記水槽内に噴出することによって、当該水槽内の攪拌を行うよう構成された攪拌装置と、を備え、
前記ポンプ装置には、前記吐出流が所定の主流方向に流れるように区画する経路が形成されており、前記経路の途中位置から分岐しかつ、前記ポンプ装置側から前記攪拌装置側に向かう分岐方向に、前記吐出流を流す分岐孔が、前記経路を構成する壁面に開口し、
前記攪拌装置は、前記分岐孔に接続されており、
前記分岐孔の一部を塞ぐように配置されかつ、当該分岐孔を通じて前記攪拌装置内に異物が進入することを防止する異物進入防止部材をさらに備えている攪拌装置付き水中ポンプ装置。
【請求項２】
請求項１に記載の攪拌装置付き水中ポンプ装置において、
前記異物進入防止部材は、前記分岐孔の前記開口の一部を塞ぐように、前記主流方向に延びて配置されており、
前記主流方向に延びる異物進入防止部材の、前記分岐方向において前記ポンプ装置側に相当する縁部は、前記主流方向の上流側から下流側に向かうに従い、前記分岐孔の前記開口に対して、前記分岐方向の前記攪拌装置側から前記ポンプ装置側の方向に傾く部位を含んでいる攪拌装置付き水中ポンプ装置。
【請求項３】
請求項２に記載の攪拌装置付き水中ポンプ装置において、
前記異物進入防止部材の、前記分岐方向における前記ポンプ装置側に相当する縁部は、なめらかな形状に構成されている攪拌装置付き水中ポンプ装置。
【請求項４】
請求項２又は３に記載の攪拌装置付き水中ポンプ装置において、
前記異物進入防止部材は、前記分岐方向において最も前記ポンプ装置側に位置する端部が、前記分岐孔の前記開口を挟んだ前記分岐方向の両側について所定の範囲内に位置している攪拌装置付き水中ポンプ装置。
【請求項５】
請求項１〜４のいずれか１項に記載の攪拌装置付き水中ポンプ装置において、
前記異物進入防止部材は、前記分岐孔内において、前記主流方向の上流側に対応する基端から下流側に対応する先端に向かって延びる棒状の部材によって構成され、
前記棒状の異物進入防止部材は、その基端が前記分岐孔内における前記主流方向の上流側の壁面において片持ち状態で支持されると共に、その先端と前記分岐孔内における前記主流方向の下流側の壁面との間には、所定の隙間が設けられている攪拌装置付き水中ポンプ装置。
【請求項６】
請求項１〜４のいずれか１項に記載の攪拌装置付き水中ポンプ装置において、
前記異物進入防止部材は、前記分岐孔内を横切るように、前記主流方向に沿って配置された板状の部材によって構成されている攪拌装置付き水中ポンプ装置。
【請求項７】
請求項１〜６のいずれか１項に記載の攪拌装置付き水中ポンプ装置において、
前記分岐孔は、前記水中ポンプ本体において、前記羽根車を収容するポンプケーシングの内周面に開口しており、
前記攪拌装置は、前記ポンプケーシングに取り付けられている攪拌装置付き水中ポンプ装置。
【請求項８】
請求項１〜６のいずれか１項に記載の攪拌装置付き水中ポンプ装置において、
前記排出管部は、前記水中ポンプ本体を、前記水槽内に固定された固定排出管に対し着脱可能に設置する着脱装置を有する着脱用接続管を含み、
前記分岐孔は、前記着脱用接続管の内周面に開口しており、
前記攪拌装置は、前記着脱用接続管に取り付けられている攪拌装置付き水中ポンプ装置。
【請求項９】
請求項１〜８のいずれか１項に記載の攪拌装置付き水中ポンプ装置において、
前記異物進入防止部材は、前記分岐孔が開口している部材に対し固定されている攪拌装置付き水中ポンプ装置。
【請求項１０】
請求項１〜８のいずれか１項に記載の攪拌装置付き水中ポンプ装置において、
前記ポンプ装置において前記攪拌装置が取り付けられる部位には、取付座が設けられ、
前記異物進入防止部材と一体的に設けられた取付部材をさらに備え、
前記取付部材は、前記攪拌装置と前記取付座との間に挟持されることで、前記異物進入防止部材を前記分岐孔の前記開口の一部を塞ぐように配置させるよう構成されている攪拌装置付き水中ポンプ装置。
【発明の詳細な説明】
【技術分野】
【０００１】
ここに開示する技術は、水槽内に設置される水中ポンプ装置に関し、特に、水中ポンプの運転開始時に一定時間だけ、水中ポンプの羽根車が吐出した吐出流の少なくとも一部を水槽内に噴出することで、水槽内の攪拌を行う攪拌装置付きの水中ポンプ装置に関する。
【背景技術】
【０００２】
この種の水中ポンプ装置に付設される攪拌装置は、水中ポンプ本体の運転開始時に噴流を一定時間吐出して水槽内を攪拌することで、水槽内の砂、汚泥、浮遊油脂、スカム等を水中に巻き上げ、それらを後続するポンプ運転により水中ポンプ本体に吸い込んで排出できるようにしたものであり、この攪拌装置によって、水槽内に砂や汚泥が滞留又は堆積したり、浮遊油脂やスカムが槽壁等に固着したりすることが抑制され、槽内を洗浄できる効果が得られる。
【０００３】
このような攪拌装置として、従来、特許文献１〜３に開示されたものがある。この特許文献１〜３に係る攪拌装置では、水中ポンプ本体の運転開始時に、羽根車から吐出された吐出流の少なくとも一部が攪拌装置の内部に流入するとともに、攪拌装置が、この吐出流を、噴出孔を通じて水槽内に噴出することで水槽内が攪拌され、その後に攪拌装置内部のボール弁が吐出流の負圧により噴出孔を塞いで、攪拌装置からの噴出を停止するようになっている。
【０００４】
このうち、特許文献１に係る水中ポンプ装置では、羽根車を収容するポンプケーシングに分岐孔を貫通形成すると共に、攪拌装置を、この分岐孔に連通するようにケーシングの外周面に取り付けている。
【０００５】
また、特許文献２に係る水中ポンプ装置では、水中ポンプ本体の吐出口に連結されかつ、水中ポンプ本体を、水槽内に固定された排出管に対して着脱する着脱装置を有する着脱用接続管に、攪拌装置を取り付けている。さらに、特許文献３に係る水中ポンプ装置では、水中ポンプ本体と着脱用接続管との間を連結する連結部に、攪拌装置を一体的に設けている。
【先行技術文献】
【特許文献】
【０００６】
【特許文献１】特開第４９１９３８９号公報
【特許文献２】特許第３５７０８６１号公報
【特許文献３】特許第４７０４１１３号公報
【発明の概要】
【発明が解決しようとする課題】
【０００７】
ところで、この攪拌装置付きの水中ポンプ装置の使用環境によっては、水中ポンプ本体の運転時に異物がポンプケーシング内に吸い込まれることがある。ここで、水中ポンプ本体は、所定の大きさまでの異物の通過を許容するように構成されていて（通過粒径を、例えばポンプ口径比１００％等に設定していて）、経路の途中で詰まることなく、吐出流と共に異物を水槽の外まで排出することができるとしても、攪拌装置については、ポンプ本体と同程度の通過粒径を確保しておらず、この異物が吐出流と共に攪拌装置に吸い込まれたときには、その攪拌装置内の通路断面が極小となる箇所で異物が詰まってしまい、攪拌装置が作動できなくなって、その性能を確保できなくなる場合がある。
【０００８】
この点につき、例えば特許文献１に記載された水中ポンプ装置では、ポンプケーシングの内周面に開口する分岐孔の開口縁部を円弧状にすることで、主に繊維状の異物が、開口縁部に引っ掛かって堆積し、この分岐孔の開口を閉塞することを抑制するようにしている。しかしながら、このような対策では、例えば固形状の異物が攪拌装置に吸い込まれることを効果的に防止することはできず、改善の余地がある。また、特許文献１に記載された技術は、ポンプケーシングの内周面に形成される開口縁部の形状を特定の形状にすることが必要であるため、既存乃至既設の水中ポンプ装置に適用することは困難であると共に、特許文献２や特許文献３に記載されているように、ポンプケーシングとは異なる箇所に攪拌装置を取り付ける構成については適用が難しいという問題もある。
【０００９】
本発明は、このような点に鑑みてなされたものであり、その目的は、攪拌装置付きの水中ポンプ装置において、攪拌装置の詰まりを確実に防止して、攪拌装置の性能を安定して確保することにある。
【課題を解決するための手段】
【００１０】
ここに開示する技術は、攪拌装置付き水中ポンプ装置に係り、この装置は、水槽内に設置されかつ、断続的に運転するように構成された水中ポンプ本体、及び、当該水中ポンプ本体の吐出口に接続されかつ、前記水中ポンプ本体の羽根車から吐出された吐出流を前記水槽の外まで搬送するように構成された排出管部を有するポンプ装置と、前記ポンプ装置に取り付けられかつ、前記水中ポンプ本体の運転開始時の一定時間だけ、当該水中ポンプ本体の前記吐出流の少なくとも一部を前記水槽内に噴出することによって、当該水槽内の攪拌を行うよう構成された攪拌装置と、を備える。
【００１１】
そして、前記ポンプ装置には、前記吐出流が所定の主流方向に流れるように区画する経路が形成されており、前記経路の途中位置から分岐しかつ、前記ポンプ装置側から前記攪拌装置側に向かう分岐方向に、前記吐出流を流す分岐孔が、前記経路を構成する壁面に開口し、前記攪拌装置は、前記分岐孔に接続されており、前記分岐孔の一部を塞ぐように配置されかつ、当該分岐孔を通じて前記攪拌装置内に異物が進入することを防止する異物進入防止部材をさらに備えている。
【００１２】
ここで、攪拌装置は、水中ポンプ本体に取り付けられる場合（例えば、水中ポンプ本体において羽根車を収容するポンプケーシングに取り付けられる場合等）、及び、水中ポンプ本体に接続される排出管部に取り付けられる場合（例えば、特許文献２に記載されているように、水中ポンプ本体の設置に利用される着脱用接続管等に取り付けられる場合や、特許文献３に記載されているように、攪拌装置が一体的に設けられた連結部が、ポンプケーシングと着脱用接続管との間に介設される場合）がある。
【００１３】
また、水中ポンプ本体の羽根車から吐出される吐出流には、その水中ポンプ本体においてポンプケーシング内を流れる流れ、水中ポンプ本体の吐出口を通って水中ポンプ本体から、水槽内に設置された固定排出管内へと吐出される流れ、及び、固定排出管内を流れる流れが含まれる。従って、水中ポンプ本体と排出管部との双方を含むポンプ装置において、吐出流が所定の主流方向に流れるように区画する経路には、前記のポンプケーシング内、着脱用接続管内、及び、固定排出管内等が含まれる。
【００１４】
前記の構成によると、ポンプ装置には、吐出流が流れる経路に開口する分岐孔が設けられており、水中ポンプ本体の運転開始時には、吐出流の少なくとも一部が、この開口及び分岐孔を通ってポンプ装置に取り付けられた攪拌装置に供給され、この攪拌装置を通じて、水槽内に吐出流が噴出される。これにより、水中ポンプ本体の運転開始時の一定時間だけ、この噴流によって水槽内が攪拌される。
【００１５】
前記構成の攪拌装置付き水中ポンプ装置には、分岐孔の一部を塞ぐように、異物進入防止部材が配置されている。この異物進入防止部材は、吐出流の通過を許容しつつも、水中ポンプ本体に吸い込まれて吐出流と共に流れる異物とは干渉して、当該異物が攪拌装置に進入することを防止する機能を有し、これにより、攪拌装置が、異物によって詰まることが確実に防止される。尚、水中ポンプ本体に吸い込まれた異物は、水中ポンプ本体から排出管部を経て水槽の外に排出される。こうして攪拌装置の詰まりを防止する結果、攪拌装置の性能が安定して確保される。
【００１６】
前記異物進入防止部材は、前記分岐孔の前記開口の一部を塞ぐように、前記主流方向に延びて配置されており、前記主流方向に延びる異物進入防止部材の、前記分岐方向において前記ポンプ装置側に相当する縁部は、前記主流方向の上流側から下流側に向かうに従い、前記分岐孔の前記開口に対して、前記分岐方向の前記攪拌装置側から前記ポンプ装置側の方向に傾く部位を含んでいる、としてもよい。ここで、異物進入防止部材の縁部は、その主流方向の上流端から下流端までの全域にわたって傾くように構成してもよいし、その一部のみが傾くように構成してもよい。一部のみが傾く構成においては特に、主流方向の上流端を含む部位が傾くように構成することが、後述する異物に進入防止効果を有効に発揮する上で、好ましい。
【００１７】
この構成によると、ポンプ装置内の経路に沿って、主流方向の上流側から下流側へと吐出流と共に流れる異物は、分岐孔内へと進入しようとしたときに、その開口の一部を塞ぐように主流方向に延びて配置された異物進入防止部材における、分岐方向のポンプ装置側に相当する縁部に当接する。このときに、当該異物進入防止部材の前記縁部は、少なくとも一部の部位が、前記主流方向の上流側から下流側に向かうに従い、分岐孔の開口に対して、分岐方向の攪拌装置側からポンプ装置側の方向に傾くように構成されている。このため、異物は、その縁部に沿うように、主流方向の上流側から下流側に向かうに従い、分岐方向の攪拌装置側からポンプ装置側の方向へと移動をする。つまり、分岐孔から離れる方向に異物が移動をするようになるから、その異物は、吐出流と共に、再び主流方向に沿って流れるようになる。こうして、攪拌装置内への異物の進入が効果的に回避される。
【００１８】
前記異物進入防止部材の、前記分岐方向における前記ポンプ装置側に相当する縁部は、なめらかな形状に構成されている、としてもよい。
【００１９】
水中ポンプ本体が吸い込む可能性のある異物は、固形物、及び、繊維物の、主に２種類に分類され、繊維物はさらに、多数の繊維が塊状になったもの、及び、ばらばらになったもの（例えば髪の毛等の、いわゆる繊維状の異物）の２種類に区分される。このうち、固形物や、塊状の繊維物は、攪拌装置内での詰まりを生じる可能性が有り、その進入を防止する必要がある一方で、ばらばらになった繊維状の異物は、攪拌装置内で詰まることなく通過し得るので、その進入を許容することができる。
【００２０】
一方で、繊維状の異物は、分岐孔の開口の一部を閉塞するように配置される異物進入防止部材に引っ掛かって、そこに堆積し、その結果、分岐孔を閉塞してしまう可能性がある。
【００２１】
異物進入防止部材の縁部を、なめらかな形状に構成することは、異物進入防止部材に、繊維状の異物が引っ掛かることを抑制し、分岐孔の閉塞を有効に回避する。従って、「なめらかな形状」は、言い換えると繊維状の異物の絡みが生じない程度に、角が取れていることを意味する。この構成によって、攪拌装置の性能の安定確保に有利になる。
【００２２】
前記異物進入防止部材は、前記分岐方向において最も前記ポンプ装置側に位置する端部が、前記分岐孔の前記開口を挟んだ前記分岐方向の両側について所定の範囲内に位置している、としてもよい。すなわち、異物進入防止部材は、その端部が、分岐孔の開口の近傍に位置していることが好ましい。
【００２３】
こうすることで、分岐孔内への異物の進入を効果的に防止することが可能になり、攪拌装置内の詰まりを防止することは勿論のこと、分岐孔内の詰まりも防止される。
【００２４】
また、異物進入防止部材の端部は、ポンプ装置内、具体的には水中ポンプ本体のケーシング内や排出管部内において主流方向に流れる吐出流の近傍に位置することになるから、前述したように、仮に、繊維状の異物が、異物進入防止部材に引っ掛かったとしても、引っ掛かった異物が、主流方向に流れる吐出流の圧力を受けて、異物進入防止部材から外れる可能性が高くなる。このことは、異物進入防止部材に異物が堆積することを抑制して、攪拌装置を安定的に作動させる上で有利になる。
【００２５】
前記異物進入防止部材は、前記分岐孔内において、前記主流方向の上流側に対応する基端から下流側に対応する先端に向かって延びる棒状の部材によって構成され、前記棒状の異物進入防止部材は、その基端が前記分岐孔内における前記主流方向の上流側の壁面において片持ち状態で支持されると共に、その先端と前記分岐孔内における前記主流方向の下流側の壁面との間には、所定の隙間が設けられている、としてもよい。
【００２６】
この構成では、異物進入防止部材を片持ち状態で支持することで、この異物進入防止部材の先端（つまり、異物進入防止部材における主流方向の下流側に相当する端部）は、分岐孔の内壁とは接しておらず、この先端は、分岐孔内において、いわば浮かんでいる。また、先端と分岐孔内における前記主流方向の下流側の壁面との間には、所定の隙間が設けられている。
【００２７】
これにより、固形物や塊状の繊維物は、異物進入防止部材と干渉をすることによって、攪拌装置内に進入することが防止される。所定の隙間は、攪拌装置内の詰まりが生じない大きさの異物の通過を許容する一方で、攪拌装置内の詰まりが生じる大きさの異物の通過を阻止する大きさに設定すればよい。
【００２８】
また、前述の通り、仮に、繊維状の異物が異物進入防止部材に引っ掛かったとしても、その異物は、分岐孔の内壁に接していない先端から、抜けることが可能になるため、異物進入防止部材に異物が堆積することが防止され、分岐孔の閉塞が防止される。
【００２９】
その結果、水中ポンプ本体の運転開始時に、攪拌装置が確実に作動をして攪拌装置の性能が確実に確保される。
【００３０】
前記異物進入防止部材は、前記分岐孔内を横切るように、前記主流方向に沿って配置された板状の部材によって構成されている、としてもよい。
【００３１】
板状の異物進入防止部材を、分岐孔内を横切るように配置することで、異物の進入が効果的に防止される。
【００３２】
前記分岐孔は、前記水中ポンプ本体において、前記羽根車を収容するポンプケーシングの内周面に開口しており、前記攪拌装置は、前記ポンプケーシングに取り付けられている、としてもよい。
【００３３】
また、これとは異なり、前記排出管部は、前記水中ポンプ本体を、前記水槽内に固定された固定排出管に対し着脱可能に設置する着脱装置を有する着脱用接続管を含み、前記分岐孔は、前記着脱用接続管の内周面に開口しており、前記攪拌装置は、前記着脱用接続管に取り付けられている、としてもよい。
【００３４】
前記異物進入防止部材は、前記分岐孔が開口している部材に対し固定されている、としてもよい。
【００３５】
前記ポンプ装置において前記攪拌装置が取り付けられる部位には、取付座が設けられ、前記攪拌装置付き水中ポンプ装置は、前記異物進入防止部材と一体的に設けられた取付部材をさらに備え、前記取付部材は、前記攪拌装置と前記取付座との間に挟持されることで、前記異物進入防止部材を前記分岐孔の前記開口の一部を塞ぐように配置させるよう構成されている、としてもよい。
【発明の効果】
【００３６】
以上説明したように、前記の攪拌装置付き水中ポンプ装置によると、ポンプ装置に設けられた経路に開口する分岐孔に対し、その開口の一部を塞ぐように、異物進入防止部材を配置することで、異物が、この開口を通じて攪拌装置に進入し、攪拌装置が、異物によって詰まってしまうことを確実に防止することができる。
【図面の簡単な説明】
【００３７】
【図１】下水ポンプ設備の全体構成を示す断面図である。
【図２】水中ポンプ装置の水槽内での設置状態を一部省略して示す側面図である。
【図３】水中ポンプ装置の平面図である。
【図４】図３のIV−IV線断面図である。
【図５】図４のV−V線断面図である。
【図６】異物進入防止装置が取り付けられた分岐孔の部分を拡大して示す断面図である。
【図７】実施形態１に係る異物進入防止部材の斜視図である。
【図８】実施形態１に係る異物進入防止部材の底面図である。
【図９】変形例に係る異物進入防止部材の（ａ）Ａ−Ａ線断面図、（ｂ）平面図である。
【図１０】変形例に係る異物進入防止部材を示す、図５対応図である。
【図１１】変形例に係る異物進入防止部材の底面図である。
【図１２】実施形態２に係る異物進入防止部材を示す、図５対応図である。
【図１３】実施形態２に係る異物進入防止部材を示す、図６対応図である。
【図１４】実施形態２に係る異物進入防止部材の（ａ）Ｂ−Ｂ線断面図、（ｂ）平面図である。
【図１５】変形例に係る異物進入防止部材の断面図である。
【図１６】変形例に係る異物進入防止部材の断面図である。
【図１７】変形例に係る異物進入防止部材の平面図である。
【図１８】変形例に係る異物進入防止部材の（ａ）Ｃ−Ｃ線断面図、（ｂ）平面図である。
【図１９】変形例に係る異物進入防止部材の断面図である。
【図２０】変形例に係る異物進入防止部材の断面図である。
【図２１】変形例に係る異物進入防止部材の平面図である。
【図２２】実施形態３に係る異物進入防止部材を示す、図５対応図である。
【図２３】実施形態３に係る異物進入防止部材を示す、図６対応図である。
【図２４】実施形態３に係る異物進入防止部材を示す（ａ）平面図、（ｂ）正面図である。
【図２５】変形例に係る異物進入防止部材を示す、図５対応図である。
【図２６】他の実施形態に係る異物進入防止部材の取付例を示す断面図である。
【発明を実施するための形態】
【００３８】
以下、本発明の実施形態を図面に基づいて詳細に説明する。以下の実施形態は例示である。
【００３９】
（攪拌装置付き水中ポンプ装置の全体構成）
図１は、実施形態に係る攪拌装置付き水中ポンプ装置が設置された水槽としての下水中継ポンプ槽を示している。図１〜４において、符号１は、流入口５及びマンホール１１を有する下水中継ポンプ槽、符号２は、水中ポンプ本体３と、ポンプ槽１に固定設置された固定排出管６を含む排出管部６０とを有する水中ポンプ装置である。図例では、水中ポンプ本体３に、攪拌装置４が付設されている。水中ポンプ本体３は電動モータ３ｂを有しており、ポンプ槽１内に流入口５より流入した下水は、その水位が所定の運転レベル以上になると、所定の停止レベルに水位が低下するまで、電動モータ３ｂの作動による水中ポンプ本体３の運転により該水中ポンプ本体３に吸い込まれた後に固定排出管６から排出される。この水中ポンプ本体３の運転制御のために、ポンプ槽１内に運転用フロートスイッチ１０１、停止用フロートスイッチ１０２及び異常水位警報用フロートスイッチ１０３が設けられ、ポンプ槽１の上方に制御盤１０が設けられている。
【００４０】
攪拌装置４が付設された水中ポンプ本体３（尚、以下においては、攪拌装置４が付設された水中ポンプ本体３を、単に水中ポンプ本体３と呼ぶ場合がある）は、ポンプ槽１のマンホール１１よりガイドパイプ１２を伝って槽内底部に降ろされ、着脱装置１３により該ポンプ槽１に着脱自在に設置される。水中ポンプ本体３の昇降のためにマンホール１１の蓋１４と水中ポンプ本体３とが昇降用チェーン１５によって連結されている。昇降用チェーン１５は攪拌装置４を含む水中ポンプ本体３の重心を通る垂直線上で、水中ポンプ本体３の頂面部に接続されている。着脱装置１３は、水中ポンプ本体３をポンプ槽１内に固定された固定排出管６に結合するものであり、この結合により水中ポンプ本体３が固定排出管６に支持される。
【００４１】
すなわち、図２に示すように、着脱装置１３は、水中ポンプ本体３のポンプケーシング３ａにおけるポンプ吐出管部２５に取り付けられた、着脱フランジ部１６及びフック１７を有する着脱用接続管２２と、固定排出管６の基端フランジ部１８とによって構成されている。着脱用接続管２２は、排出管部６０の一部を構成する。フック１７は、着脱フランジ部１６の上部との間に下方に開口した係合凹部を形成し、固定排出管６の基端フランジ部１８の上部には当該係合凹部に嵌る係合部１８ａが形成されている。この係合凹部と係合部１８ａとの嵌合により、水中ポンプ本体３は固定排出管６に支持され、該水中ポンプ本体３の自重により着脱フランジ部１６を固定排出管６の基端フランジ部１８に押し当てるモーメントが働いて、両者は隙間なく接続される。フック１７及び係合部１８ａの互いの当接面には、前記嵌合を案内するとともに、前記フランジ部１６，１８同士を密に接続するためのテーパが形成されている。
【００４２】
図３に示すように、前記水中ポンプ本体３のポンプケーシング３ａにはその側方に突出するポンプ吐出管部２５が一体に形成されており、このポンプ吐出管部２５の先端に前記着脱用接続管２２が取り付けられている。着脱用接続管２２には、前記着脱フランジ部１６と、ガイドパイプ１２に摺動自在に係合するガイド２３とが設けられている。前記ガイドパイプ１２は２本あり、着脱用接続管２２にはガイド２３が２つ設けられている。
【００４３】
図３及び図４に示すように、前記水中ポンプ本体３は遠心ポンプからなり、そのポンプケーシング３ａは、羽根車（図示せず）を収容するポンプ室２７を内有する渦巻き型ポンプケーシングからなる。図示省略の羽根車は、異物の通過が可能なノンクロッグタイプに構成されており、これにより、水中ポンプ本体３は、通過粒径が所定以上に（例えば、ポンプ口径比１００％に）設定されている。尚、ノンクロッグタイプとは異なるタイプの羽根車を採用することも可能である。ポンプケーシング３ａの下部には吸込口３０が開口されている。また、ポンプケーシング３ａには前記ポンプ吐出管部２５が一体に形成され、このポンプ吐出管部２５内にポンプ室２７と連通するポンプ吐出口２６が開口している。このポンプ吐出口２６は、前記着脱装置１３によって水中ポンプ本体３（正確には、水中ポンプ本体３におけるポンプケーシング３ａのポンプ吐出管部２５）が固定排出管６に結合されたときに、該固定排出管６内と連通する。
【００４４】
また、図３及び図５に示すように、ポンプケーシング３ａには、前記ポンプ吐出管部２５内のポンプ吐出口２６に対し、図５で矢印にて示すポンプ室内水流（つまり、羽根車から吐出されかつ、ポンプ室内を区画するポンプケーシング３ａの内壁によって案内される吐出流）の上流側（図５で時計回り方向）の近傍に分岐管部２８が一体に形成され、この分岐管部２８内に、ポンプ室２７から攪拌装置４に、吐出流の少なくとも一部を分岐して流す分岐孔２９が設けられ、ポンプケーシング３ａのポンプ室２７を区画する内壁に開口している。尚、分岐管部２８は、ポンプケーシング３ａにおける、ポンプ吐出口２６の近傍以外の箇所に設けることも可能である。
【００４５】
前記攪拌装置４は、水中ポンプ装置２の運転開始時、水中ポンプ本体３の吐出流の一部又は全部を槽内に吐出させるものである。図３及び図４に示すように、その攪拌装置４のケーシング３１は、ポンプケーシング３ａの前記分岐管部２８に取り付けられるケーシング本体４５と、その下側に結合されたダイヤフラムカバー４６とを備え、ケーシング本体４５の上側に保護カバー４７が設けられている。
【００４６】
ケーシング本体４５とダイヤフラムカバー４６とよりなるケーシング３１内は、図に示すように、下部ダイヤフラム４８によって、ボール弁４９を収容する上部の弁収容部５１と、下部の作動流体としてのオイルを収容する下部オイル室５２とに区画形成されている。下部ダイヤフラム４８は例えばゴム製のもので、その周縁部がケーシング本体４５とダイヤフラムカバー４６とに挟持されている。
【００４７】
一方、ケーシング本体４５の頂部には凹部が形成されていて、該凹部の周縁部と保護カバー４７との間に、例えばゴム等からなる上部ダイヤフラム５３の周縁部が挟持されて、該ケーシング本体４５の凹部と上部ダイヤフラム５３とによって上部オイル室５４が形成されている。保護カバー４７は上部ダイヤフラム５３を保護するものである。
【００４８】
下部オイル室５２と上部オイル室５４とは、ケーシング本体４５、ダイヤフラムカバー４６及び下部ダイヤフラム４８に形成されたオイル通路５５によって連通し、ダイヤフラムカバー４６にオイル通路５５のオイル流量を調整する調整弁５６が取り付けられている。
【００４９】
ケーシング本体４５の上部には、水中ポンプ本体３のポンプケーシング３ａにおける分岐孔２９を通過した吐出流を該ケーシング本体４５内部に導入するための流入部３２が設けられている。ケーシング本体４５は水中ポンプ本体３のポンプケーシング３ａに対し、ケーシング本体４５の流入部３２上流端に形成したフランジ３２ａをポンプケーシング３ａの分岐管部２８の端面（つまり、取付座２８ａ）に締結することで取り付けられる（尚、後述の通り、流入部３２のフランジ３２ａと分岐管部２８の取付座２８ａとの間には、異物進入防止部材７１１用の取付部材７１２が介在する。図５、６も参照）。そして、流入部３２の内部には、水中ポンプ本体３のポンプ室２７と弁収容部５１とを連通させる噴流用通路５７が形成されており、この噴流用通路５７を介して、水中ポンプ本体３のポンプケーシング３ａの分岐孔２９から弁収容部５１へ噴流が流入する。
【００５０】
一方、ケーシング本体４５の上部において流入部３２と反対側には、該流入部３２から流入した吐出流を外部に噴出させる噴出部３３が設けられている。この噴出部３３は、前記弁収容部５１の内部を流れる吐出流によって該弁収容部５１内にエジェクタ効果を発生させるエジェクタ機構３４と、このエジェクタ機構３４を通過した吐出流をポンプ槽１内に噴出する噴出口３６を有するノズル３５とを備え、このノズル３５はエジェクタ機構３４の下流端に取り付けられている。
【００５１】
エジェクタ機構３４は、弁収容部５１に通じて該弁収容部５１から吐出流を流出させる流出孔５８を有し、この流出孔５８の上流端にはボール弁４９が着座可能な弁座５９が設けられている。このように構成されたエジェクタ機構３４においては、弁収容部５１の内部を吐出流が通過することによって、該弁収容部５１内に吐出流による圧力が生じて、静圧が低下する。
【００５２】
ダイヤフラムカバー４６はケーシング３１の底壁を構成し、この底壁は下部ダイヤフラム４８を底壁に沿わせて収めるべく下方へ突出した凸曲面状に形成されている。そうして、該底壁の周囲に、当該攪拌装置４を平坦面上で自立させる設置部を構成する３本の脚６２，６２が設けられている（図４では１本のみ図示）。
【００５３】
前記３本の脚６２，６２のうちの１つの脚６２の内側には、該脚６２の上部と凸曲面状底壁との間にわたって延びる下方へ膨出した膨出部が形成され、当該脚６２と膨出部とによって前記調整弁５６の取付部６３が形成されている。すなわち、当該脚６２の外面から膨出部へ延びる調整弁取付孔が形成され、該取付孔に調整弁５６がねじ込まれている。
【００５４】
次に、前記構成の水中ポンプ装置２の作動を説明する。水中ポンプ本体３の始動前は、図４に実線にて示すように、攪拌装置４におけるボール弁４９が弁収容部５１の下方の下部ダイヤフラム４８上にあって流出孔５８及び噴出口３６は開の状態にある。この状態で電動モータ３ｂの作動により水中ポンプ本体３を起動すると、その羽根車の回転によりポンプケーシング３ａの吸込口３０から下水が吸い込まれると共に、羽根車から吐出される。吐出流の一部は、分岐孔２９から攪拌装置４の噴流用通路５７を介して弁収容部５１に流入し、流出孔５８を介してノズル３５の噴出口３６からポンプ槽１内へ噴出する。これによりポンプ槽１内が攪拌される。
【００５５】
そして、弁収容部５１を下水が通過することにより、弁収容部５１に負圧が発生し、この負圧によって、オイルが上部オイル室５４から下部オイル室５２に移動するのに合わせて、上部ダイヤフラム５３が下降するとともに、下部ダイヤフラム４８が上側に膨らむように偏倚して、その上にあるボール弁４９を押し上げ始める。
【００５６】
運転開始から約２０〜５０秒経過すると、下部ダイヤフラム４８が完全に膨らんで上方に突出した状態になり、図４に仮想線にて示すように、この下部ダイヤフラム４８にボール弁４９が押し上げられて弁座５９に着座し流出孔５８（噴出口３６）を閉じる。これにより、ノズル３５からの下水の噴出は停止し、下水はポンプ吐出管部２５（ポンプ吐出口２６）及び着脱用接続管２２を通って固定排出管６へ圧送されるようになる。そして、ボール弁４９が弁座５９に押し当てられた状態で弁収容部５１内が正圧になり、上部ダイヤフラム５３、下部ダイヤフラム４８及びオイルはポンプ始動前の状態に戻る。
【００５７】
一方、水中ポンプ装置２の作動が停止すると、前記ボール弁４９は弁座５９から離脱して下部ダイヤフラム４８の上に落ちる。尚、運転開始からボール弁４９が流出孔５８を閉じるまでの時間は、前記調整弁５６によって調整することができる。
【００５８】
このような攪拌装置４の作動により、ポンプ槽１内の砂、汚泥、浮遊油脂、スカム等は、前記噴流によって攪拌され、水中ポンプ本体３に吸い込まれた後に固定排出管６から排出される。このため、水槽内に砂や汚泥が滞留乃至堆積したり、浮遊油脂やスカムが槽壁等に固着したりすることが抑制される。
【００５９】
また、ポンプ槽１内の汚水が攪拌されると、水面近傍の汚水も攪拌されるため、大気からの酸素の供給も積極的に行われ、曝気が促進される。
【００６０】
そして、この攪拌装置４付きの水中ポンプ装置２には、攪拌装置４への異物の進入を防止する異物進入防止部材が取り付けられている。以下、この異物進入防止部材の構成について、図を参照しながら詳細に説明する。
【００６１】
（実施形態１）
実施形態１に係る異物進入防止部材７１１は、図５〜８に示すように、棒状の部材によって構成されており、この棒状の異物進入防止部材７１１は、取付部材７１２と一体化されている。異物進入防止部材７１１は、分岐孔２９の一部を閉塞するように構成されている。
【００６２】
取付部材７１２は、ポンプケーシング３ａに一体的に設けられた分岐管部２８の外側面によって構成される取付座２８ａと、攪拌装置４のフランジ３２ａとの間に挟持され、攪拌装置４を、ポンプケーシング３ａに対して固定するための埋込ボルト４１０によって共締めされることで、異物進入防止部材７１１を、分岐孔２９内の所定位置に配置するように構成されている。取付部材７１２は、図７、８に示すように、概略正方形の、所定厚みを有する平板であり、その四隅には、埋込ボルト４１０が貫通するボルト孔７１２１がそれぞれ形成されていると共に、その中央には、前記分岐孔２９に連続して、分岐孔２９の一部を構成すると共に、攪拌装置４の噴流用通路５７に連通する連通孔７１２２が貫通形成されている。
【００６３】
異物進入防止部材７１１は、図６に示すように、分岐孔２９内の上下方向の略中央位置において、図５に矢印で示す主流方向（具体的に、ここでの主流方向は、図示省略の羽根車の回転に伴い吐出された吐出流が、ポンプケーシング３ａのポンプ室２７内を区画する内壁に沿って流れる方向に相当し、図５においては概略時計回り方向である）の上流側に相当する分岐孔２９内の壁面から、主流方向の下流側に向かって延びて配設されており、その先端と分岐孔２９内における主流方向の下流側の壁面との間には、所定の隙間Ｓが設けられている（図８参照）。図例では、異物進入防止部材７１１の先端は、分岐孔２９の中心軸付近に位置している。このように、棒状の異物進入防止部材７１１は、その基端が分岐孔２９内における主流方向の上流側の壁面において片持ち状態で支持されており、その先端は、分岐孔２９内の壁面には接触せずに、浮いた状態になっている（図５、６参照）。
【００６４】
異物進入防止部材７１１はまた、その主流方向の上流側から下流側に向かうに従い、分岐方向について、攪拌装置側からポンプ装置側へと、分岐孔２９の開口２９ａに対して傾くように配置されている。ここで、分岐方向は、図５に矢印で示すように分岐孔２９の孔軸方向であって、ポンプ装置側（図５における左上側）から攪拌装置側（図５における右下側）へと向かう方向である。異物進入防止部材７１１が傾いて配置されることにより、図５に端的に示されるように、この棒状の異物進入防止部材７１１において、分岐方向のポンプ装置側に相当する縁部７１１ａは、主流方向の上流側から下流側に向かうに従い、分岐孔２９の開口２９ａに対して、分岐方向の攪拌装置側からポンプ装置側の方向に傾くように構成されている。また、異物進入防止部材７１１の先端、言い換えると、異物進入防止部材７１１において分岐方向において最もポンプ装置側に位置する端部は、分岐孔２９の開口２９ａよりも攪拌装置側でかつ、この開口２９ａの近傍に位置している。
【００６５】
さらに、図７に示すように、棒状の異物進入防止部材７１１は、分岐方向においてポンプ装置側に相当する縁部７１１ａにアールが設けられており、これによって、角が取れた、なめらかな形状に構成されている。
【００６６】
このような構成の異物進入防止部材７１１は、次のようにして製造可能である。つまり、所定の矩形状に切り出した平板の中央部に、棒状の異物進入防止部材７１１を構成する部位を残して、連通孔７１２２を構成する貫通孔を形成すると共に、ボルト孔７１２１を四隅それぞれに貫通形成する。また、異物進入防止部材７１１を構成する部位において、水中ポンプ本体３に取り付けた際に、分岐方向のポンプ装置側に相当する縁部にアール加工を施すと共に、当該部位を所定の角度となるように曲げる。こうして、取付部材７１２と一体化した異物進入防止部材７１１を、比較的低コストで製造することが可能になる。
【００６７】
以上のような構成により、前述の通り、水中ポンプ本体３の運転開始時であって、攪拌装置４が作動をする所定期間においては、羽根車から吐出されかつ、ポンプケーシング３ａ内を流れる吐出流の少なくとも一部が、ポンプケーシング３ａの内周面に形成された開口２９ａ及び分岐孔２９を通って攪拌装置４内へと流れ込むが、吐出流と共に、例えば固形状の異物や、塊状になった繊維状の異物が開口２９ａを通じて分岐孔２９内に進入しようとしても、そうした異物は、異物進入防止部材７１１と干渉して、分岐孔２９内に進入することが防止される。特に、異物進入防止部材７１１は、主流方向の上流側から下流側に向かうに従い、分岐方向の攪拌装置側からポンプ装置側へと傾いて配置されているため、主流方向の上流側から流れてきて、分岐孔２９内へと進入しようとする異物が、異物進入防止部材７１１の、分岐方向のポンプ装置側に相当する縁部７１１ａに当接することで、ポンプ装置側へと押し戻されるようになる。このことにより、当該異物は、吐出流れと共に、水中ポンプ本体３のポンプ吐出管部２５から固定排出管６を通じて、ポンプ槽１の外に排出することが可能になる。
【００６８】
また、異物進入防止部材７１１と干渉せずに、分岐孔２９内に進入可能な大きさの、固形状の異物や塊状の繊維状異物は、攪拌装置４内において詰まりを生じることなく、攪拌装置４の噴出口３６から、吐出流と共にポンプ槽１内に噴出される。また、ばらばらの繊維状の異物も、異物進入防止部材７１１と干渉せずに攪拌装置４内へと進入するが、このような繊維状の異物もまた、攪拌装置４内で詰まりを生じることなく、攪拌装置４の噴出口３６から、吐出流と共にポンプ槽１内に噴出される。従って、異物進入防止部材７１１の先端と、分岐孔２９の壁面との隙間Ｓは、攪拌装置４の通過を許容し得る異物の大きさに基づいて、設定すればよい。つまり、隙間Ｓは、攪拌装置４内において最も通路断面積が小さい箇所の大きさに応じて、当該箇所の大きさよりも小に設定すればよい。
【００６９】
また、異物進入防止部材７１１における、分岐方向のポンプ装置側の縁部７１１ａが、なめらかな形状に構成されていることで、ばらばらの繊維状の異物が、この異物進入防止部材７１１に引っ掛かってしまうことが抑制される。また、繊維状の異物が、異物進入防止部材７１１に、仮に引っ掛かったとしても、異物進入防止部材７１１は片持ち状態に構成されていて、主流方向の下流側に相当する先端が、分岐孔２９内で非接触の状態で浮かんでいると共に、その先端が、分岐孔２９の開口２９ａの近傍に位置していることから、引っ掛かった異物は、その先端から外れ易くなる。こうして、異物進入防止部材７１１に異物が堆積してしまい、分岐孔２９を塞いでしまうような事態が、未然に回避される。
【００７０】
こうして、攪拌装置４は、水中ポンプ装置２の通過粒径と同程度の通過粒径には設定されていないものの、水中ポンプ装置２に付設して使用される攪拌装置４が、異物によって詰まってしまうことや、分岐孔２９が閉塞してしまうことが回避される結果、攪拌装置４の性能を安定的かつ、確実に発揮させることが可能になる。
【００７１】
また、この異物進入防止部材７１１は、取付部材７１２を水中ポンプ本体３と攪拌装置４との間に挟持することで、分岐孔２９内に配置することが可能であるため、既存の水中ポンプ本体３や、ポンプ槽１に既設の攪拌装置４付きの水中ポンプ装置２に対して、後付けで取り付けることが可能になる、という利点がある。尚、既設の水中ポンプ本体３に後付けする場合、取付部材７１２を介在させる分だけ、攪拌装置４の埋込ボルト４１０の長さを長くする等の、軽微な変更は必要である。
【００７２】
（変形例）
尚、図示は省略するが、前述した異物進入防止部材７１１において、分岐方向において最もポンプ装置側に位置する端部を、分岐孔２９の開口２９ａよりもポンプ装置側に位置づけてもよい。但し、異物進入防止部材７１１の先端を、分岐孔２９の開口２９ａよりも大幅にポンプ装置側、つまり、ポンプケーシング３ａの内方に位置づけると、ポンプ室２７内を流れる吐出流の妨げになると共に、その流体力によって異物進入防止部材７１１の振動等を引き起こす可能性もある。そこで、異物進入防止部材７１１の先端を、分岐孔２９の開口２９ａよりもポンプ装置側に位置づける場合も、分岐孔２９の開口２９ａの近傍に位置づけることが好ましい。
【００７３】
図９は、異物進入防止部材７１３を、所定の角度に曲げた丸棒によって構成した変形例を示している。つまり、この異物進入防止部材７１３は、所定長さでかつ、横断面円形の棒材を、所定の角度に曲げ加工して構成されている。この異物進入防止部材７１３は、取付部材７１４に固定されている。取付部材７１４は、前述した取付部材７１２と同様に、４つのボルト孔７１４１及び円形の連通孔７１４２が形成された平板状の部材であり、外周面から連通孔７１４２の内周面まで延びる取付孔７１４３が、平板に沿うように形成されている。異物進入防止部材７１３は、この取付孔７１４３に、連通孔７１４２側から内挿されて固定されている。図示は省略するが、取付部材７１４を、ポンプケーシング３ａの分岐管部２８における取付座２８ａと、攪拌装置４のフランジ３２ａとの間に挟持して固定したときには、異物進入防止部材７１３は、図５、６に示す異物進入防止部材７１１と同様に、分岐孔２９内の所定位置に、開口２９ａに対して傾いて配置され、異物の進入を防止する機能を発揮する。
【００７４】
この異物進入防止部材７１３はまた、丸棒によって構成されていることで、分岐方向におけるポンプ装置側に相当する縁部７１３ａがなめらかな形状になっている。このため、繊維状の異物が引っ掛かることが抑制され、異物進入防止部材７１３に、繊維状の異物が堆積してしまうことが防止される。
【００７５】
図１０は、異物進入防止部材７１５の形状に係る変形例を示している。この異物進入防止部材７１５は、図５に示す異物進入防止部材７１１と比較して明らかなように、取付部材７１２から、分岐孔２９の内周面に沿ってポンプ装置側に延びた後に屈曲して、主流方向の上流側から下流側に向かって、開口２９ａに対し傾いて延びるように構成されている。その結果、この異物進入防止部材７１５は、その先端が、分岐孔２９の中心位置でかつ、分岐孔２９の開口２９ａに、ほぼ一致する位置に、位置している。このような形状の異物進入防止部材７１５もまた、図５等に示す異物進入防止部材と同様の機能を発揮することが可能である。
【００７６】
図１１は、異物進入防止部材７１６の形状に係る別の変形例を示している。この異物進入防止部材７１６は、図８に示す異物進入防止部材７１１のように上下方向の中央位置において主流方向の上流側から下流側に向かって延びるのではなく、主流方向の上流側の壁面でかつ、上下方向の中央位置よりも下側の位置から、斜め上向き（つまり、分岐孔２９の中心軸に向かう方向）に延びた後に、上下方向の中央位置において、主流方向の上流側から下流側に向かって水平方向に延びている。尚、図示は省略するが、異物進入防止部材７１６は、分岐方向に対しては、攪拌装置側からポンプ装置側に向かって傾くように構成されている。こうした形状の異物進入防止部材７１６もまた、攪拌装置４の詰まりが生じるような異物と干渉して、分岐孔２９内への異物の進入を確実に防止すると共に、繊維状の異物が、異物進入防止部材７１６に引っ掛かって堆積してしまうことを防止し得る。
【００７７】
（実施形態２）
図１２〜１４は、実施形態２に係る異物進入防止部材７２１を示している。この異物進入防止部材７２１は、棒状に構成された、実施形態１に係る異物進入防止部材とは異なり、板状の部材によって構成されている。具体的に、板状の異物進入防止部材７２１は、分岐孔２９内を横切るように、上下方向に間隔を空けて２枚配置されている。
【００７８】
この異物進入防止部材７２１に一体的に設けられる取付部材７２２は、前述した取付部材７１２と同様に、４つのボルト孔７２２１と連通孔７２２２とが形成された平板状である。この取付部材７２２にはまた、その連通孔７２２２の開口縁部における、主流方向の上流側に相当する部位（図１４の紙面における右側の部位）と下流側に相当する部位（図１４の紙面における左側の部位）のそれぞれに、板状の異物進入防止部材７２１を配置するための固定部７２２３が、例えば溶接によって固定されている。各固定部７２２３は、図１２に示すように、分岐孔２９の内壁に沿って、分岐方向のポンプ装置側に向かって延びて配置される。尚、固定部は、図例とは異なり、連通孔７２２２の開口縁部の全周に亘って延びることで、全体として筒状となる構成としてもよい。筒状の固定部は、分岐孔２９に内嵌するように配置されることになる。
【００７９】
板状の異物進入防止部材７２１は、分岐孔２９内に配置したときに主流方向及び分岐方向のそれぞれに拡がるように構成されており、主流方向の上流側に相当する端縁部及び下流側に相当する端縁部がそれぞれ、前記の固定部７２２３に、例えば溶接によって固定されている。こうして、板状の異物進入防止部材７２１において、分岐方向におけるポンプ装置側に相当する縁部７２１ａは、図１２に示すように、分岐孔２９の開口２９ａの近傍に位置している。これにより、異物（特に固形状の異物や塊状の繊維物）が分岐孔２９内に進入しようとしても、異物進入防止部材７２１と干渉して、異物が分岐孔２９内に進入することが防止される。
【００８０】
また、板状の異物進入防止部材７２１における、ポンプ装置側に相当する縁部７２１ａは、図１２及び図１４（ａ）に示すように、主流方向の上流側から下流側に向かうに従って、分岐孔２９の開口２９ａに対して、分岐方向の攪拌装置側からポンプ装置側に傾くように構成されている。これにより、前述したように、分岐孔２９内への異物の進入が、より一層、効果的に防止される。尚、板状の異物進入防止部材７２１における、ポンプ装置側に相当する縁部７２１ａをなめらかな形状にしてもよい。
【００８１】
また、各異物進入防止部材７２１の、最もポンプ装置側に位置する部位を、分岐孔２９の開口２９ａよりも攪拌装置４側に配置してもよい。
【００８２】
（変形例）
図１５、１６は、板状の異物進入防止部材の、ポンプ装置側に相当する縁部の形状に係る変形例を、それぞれ示している。具体的に図１５の変形例は、異物進入防止部材７２３の縁部７２３ａを、円弧状に構成している。これにより、主流方向の上流側の部位（つまり、図１５における紙面右側の部位）では、主流方向の上流側から下流側に向かうに従って、分岐孔２９の開口２９ａに対して、分岐方向の攪拌装置側からポンプ装置側に、縁部７２３ａが傾くことになる。従って、この形状の異物進入防止部材７２３でも、固形状の異物の進入防止効果を有効に発揮する。尚、図例では、異物進入防止部材７２３の縁部７２３ａを円弧状にしているが、円弧に限らず、湾曲した形状にしてもよい。また、その縁部７２３ａにおいて最もポンプ装置側に位置する箇所（つまり、円弧の場合には、主流方向の中央に相当する）を、主流方向の上流側又は下流側にずらしてもよい。
【００８３】
また、図１６の変形例は、異物進入防止部材７２４の縁部７２４ａを、図１４に示す異物進入防止部材７２１のように分岐方向について傾けるのではなく、真っ直ぐに構成している。このような形状の異物進入防止部材７２４は、特に固形状の異物や、塊状の繊維物が、分岐孔２９内に進入することを防止する上で、有効である。
【００８４】
図１７は、板状の異物進入防止部材７２５を、分岐孔２９における上下方向の中央位置に、１枚だけ配置する例を示している。この異物進入防止部材７２５の形状は、図１４、１５、１６に示す異物進入防止部材のいずれであってもよい。異物進入防止部材の配置数は、適宜の数に設定することが可能である。
【００８５】
図１８は、板状の異物進入防止部材７２６を、片持ち状に支持する構成例を示している。この例では、取付部材７２２の連通孔７２２２の開口縁部における、主流方向の上流側に相当する部位（つまり、図１８の紙面における右側の部位）にのみ、固定部７２２３を、例えば溶接によって固定している。そして、２枚の異物進入防止部材７２６それぞれにおける、主流方向の上流側に相当する端縁部を、前記の固定部７２２３に、例えば溶接によって固定している。こうして、２枚の異物進入防止部材７２６を、分岐孔２９内において、上下方向に間隔を空けて配置しつつ、各異物進入防止部材７２６の、主流方向の下流側の端部は、分岐孔２９の内壁とは非接触にしている。
【００８６】
各異物進入防止部材７２６は、図１８（ａ）に示すように、ポンプ装置側に相当する縁部７２６ａが、主流方向の上流側から下流側に向かうに従って、分岐孔２９の開口２９ａに対して、分岐方向の攪拌装置側からポンプ装置側に傾くように構成されている。
【００８７】
このような構成の異物進入防止部材７２６においても、固形状の異物や塊状の繊維物が、分岐孔２９内に進入することが、効果的に防止される。また、異物進入防止部材７２６の、主流方向の下流側の端部が、分岐孔２９の内壁に対して非接触であるため、ばらばらの繊維状の異物が異物進入防止部材７２６に引っ掛かったとしても、その異物は外れ易くなる。尚、図示は省略するが、異物進入防止部材７２６の、主流方向の長さを図例よりも短くして（つまり、図１８における紙面左右方向の長さを短くして）、主流方向の下流側の端部と、分岐孔２９の内壁との間隔を、図１８の例よりも大に設定してもよい。
【００８８】
図１９、２０はそれぞれ、図１８に示す片持ち支持の板状異物進入防止部材について、形状に係る変形例を示している。つまり、図１９の変形例は、板状の異物進入防止部材７２７における、ポンプ装置側の縁部７２７ａが、図１５に示す異物進入防止部材７２３と同様に円弧状に構成されている。尚、縁部を湾曲形状に構成してもよい。また、図２０の変形例は、板状の異物進入防止部材７２８における、ポンプ装置側の縁部７２８ａが、図１６に示す異物進入防止部材７２４と同様に、分岐方向に真っ直ぐに構成されている。
【００８９】
図２１に示す変形例は、片持ち支持の板状異物進入防止部材７２９を、一枚だけにした構成例であり、この異物進入防止部材７２９の形状は、図１８、１９、２０に示す形状のいずれであってもよい。
【００９０】
（実施形態３）
図２２〜２４は、実施形態３に係る異物進入防止部材７３１を示している。この異物進入防止部材７３１は、水中ポンプ本体３のポンプケーシング３ａに対して固定されている。具体的に、異物進入防止部材７３１は、分岐孔２９の開口２９ａの一部を閉塞するように、主流方向に延びて配置される本体部７３１１と、この本体部７３１１の主流方向の両側部に一体的に固定された２本の取付ボルト７３１２と、を備えている。このうち、本体部７３１１は、上下に所定の間隔を開けて配置されかつ、それぞれ分岐方向に湾曲する２本の部材７３１３を含んで構成されている（図２３、図２４（ａ）参照）。この湾曲した部材７３１３によって、分岐方向においてポンプ装置側に相当する縁部の形状が湾曲するようになり、その結果、この縁部における主流方向の上流側の部位（図２４における紙面右側の部位）では、主流方向の上流側から下流側に向かうに従って、分岐孔２９の開口２９ａに対して、分岐方向の攪拌装置側からポンプ装置側に、縁部が傾くことになる。
【００９１】
この異物進入防止部材７３１は、前述したように、ポンプケーシング３ａに対して取付固定されており、そのために、ポンプケーシング３ａにおける分岐管部２８には、異物進入防止部材７３１を取り付けるためのボルト孔２８１、２８１が、分岐孔２９を間に挟んだ両側位置のそれぞれにおいて、ポンプケーシング３ａの内外を連通するように形成されている。異物進入防止部材７３１は、その各取付ボルト７３１２が、ポンプケーシング３ａの内側から、各ボルト孔２８１内に挿入されかつ、ポンプケーシング３ａの外側からナット７３１４が締め付けられることで、ポンプケーシング３ａに取付固定されている。
【００９２】
こうして異物進入防止部材７３１の本体部７３１１は、分岐孔２９の開口２９ａの一部を閉塞するように配置されるようになり、異物（特に、固形状の異物や塊状の繊維状異物）が、分岐孔２９内に進入することが防止される。
【００９３】
尚、ポンプケーシング３ａに取付固定する異物進入防止部材の本体部の形状は、図２２に示すような形状に限らず、種々の形状を採用することが可能である。例えば図２５に示すように、異物進入防止部材７３２の本体部７３２１を、主流方向の上流側から下流側に向かうに従い、分岐孔２９の開口に対して、分岐方向の攪拌装置側からポンプ装置側に傾くような形状にしてもよい。
【００９４】
（他の実施形態）
攪拌装置４は、前述の通り、ポンプケーシング３ａにおいてポンプ吐出管部２５の近傍に配置する他にも、適宜の位置に取り付けることが可能である。攪拌装置４の取付位置に応じて、異物進入防止部材の配置も変更される。
【００９５】
また、前述した各実施形態は、攪拌装置４が、ポンプケーシング３ａに付設される構成において、異物進入防止部材を設けるものであったが、攪拌装置は、ポンプケーシング３ａ以外に、例えば特許文献２に記載されているように着脱用接続管に付設される場合もある。その場合は、着脱用接続管に分岐孔と取付座とが設けられるため、図示は省略するが、例えば取付座と攪拌装置との間に取付部材を介在させることで、その取付部材に一体的に設けた異物進入防止部材を、分岐孔の開口の一部を塞ぐように配置することが可能になる。この構成には、前述した図５〜図２１に示す各構成を、適宜、適用することが可能である。また、着脱用接続管に対して、異物進入防止部材を取付固定するようにしてもよい。この構成には、前述した図２２〜図２５に示す各構成を、適宜、適用することが可能である。
【００９６】
さらに、図２６に示すように、例えば特許文献３に記載されているような、ポンプケーシング３ａと、着脱用接続管２２との間に介設されて吐出流路の一部を構成する連結部６４に攪拌装置４を一体的に設けた構成では、取付部材を、連結部６４と攪拌装置４との間に挟持することはできない。しかしながら、取付部材７１２をポンプケーシング３ａと連結部６４との間に介在させてこれを挟持すると共に、異物進入防止部材７１１は、その取付部材７１２から主流方向（つまり、ここでは、連結部６４の管軸方向に相当する）に延びて配置することにより、図８に示した異物進入防止部材７１１と同様の異物進入防止部材７１１を、連結部６４に設けられた分岐孔２９の一部を閉塞するように、配置することが実現する。また、図２２〜図２５に示すような分岐孔が開口している部材に対し固定する構成であれば、特許文献３に記載されている構成にも、比較的容易に適用することが可能である。
【符号の説明】
【００９７】
１  ポンプ槽（水槽）
２２  着脱用接続管
２  水中ポンプ装置
２６  ポンプ吐出口（吐出口）
２８ａ  取付座
２９  分岐孔
２９ａ  開口
３  水中ポンプ本体
３ａ  ポンプケーシング
４  攪拌装置
６  固定排出管
６０  排出管部
７１１、７１３、７１５〜７１６  異物進入防止部材 
７１１ａ、７１３ａ  縁部
７１２、７１４  取付部材 
７２１、７２３〜７２９  異物進入防止部材 
７２１ａ、７２３ａ、７２４ａ、７２６ａ、７２７ａ、７２８ａ  縁部
７２２  取付部材 
７３１、７３２  異物進入防止部材 
７３２  異物進入防止部材
【図１】
2014181618.tif 000003
【図４】
2014181618.tif 000004
【図５】
2014181618.tif 000005
【図６】
2014181618.tif 000006
【図７】
2014181618.tif 000007
【図８】
2014181618.tif 000008
【図９】
2014181618.tif 000009
【図１０】
2014181618.tif 000010
【図１１】
2014181618.tif 000011
【図１２】
2014181618.tif 000012
【図１３】
2014181618.tif 000013
【図１４】
2014181618.tif 000014
【図１５】
2014181618.tif 000015
【図１６】
2014181618.tif 000016
【図１７】
2014181618.tif 000017
【図１８】
2014181618.tif 000018
【図１９】
2014181618.tif 000019
【図２０】
2014181618.tif 000020
【図２１】
2014181618.tif 000021
【図２２】
2014181618.tif 000022
【図２３】
2014181618.tif 000023
【図２４】
2014181618.tif 000024
【図２５】
2014181618.tif 000025
【図２６】
2014181618.tif 000026
【図２】
2014181618.tif 000027
【図３】
2014181618.tif 000028